(57)【要約】【課題】落下するなどして操作入力装置に強い衝撃力がかかっても、各構成部品が分離するのを防止できる操作入力装置およびこれを用いた電子機器を提供する。【解決手段】複数の押しボタンスイッチ３１ａ〜３１ｅを配置し、かつ、磁界検出素子２８を配置したプリント基板２０の上方に、環状の操作ダイヤル５０を、回動可能に支持した操作入力装置であって、同一円周上に少なくとも一対の突起１３を切り起こしたベース１０と、環状の操作ダイヤル５０の内側に設けた嵌合孔５２に嵌合することにより、内周面に突設したリブ６４の外周側に、ベース１０の突起１３が係合してベース１０に固定され、操作ダイヤル５０を抜け止めする抜け止め用リング６０と、抜け止め用リング６０内に嵌合固定することにより、リブ６４の内周側先端部に当接可能に近接する当接片７３ｂを有するセンターキー７０と、を備えた。【選択図】図１０
2010161020.tif 000002
【特許請求の範囲】
【請求項１】
同一円周上に複数の押しボタンスイッチを配置し、かつ、磁界検出素子を配置したプリント基板の上方に、下面に環状マグネットを同心円状に配置した環状の操作ダイヤルを、回動可能に支持した操作入力装置であって、
同一円周上に少なくとも一対の突起を切り起こしたベースと、
前記環状の操作ダイヤルの内側に設けた嵌合孔に嵌合することにより、内周面に突設したリブの外周側に、前記ベースの突起が係合して前記ベースに固定され、前記操作ダイヤルを抜け止めする抜け止め用リングと、
前記抜け止め用リング内に嵌合固定することにより、前記リブの内周側先端部に当接可能に近接する当接片を有するセンターキーと、
を備えたことを特徴とする操作入力装置。
【請求項２】
同一円周上に少なくとも一対の突起を切り起こしたベースと、
複数個の押しボタンスイッチを同一円周上に実装し、かつ、磁界検出素子を実装すると共に、前記ベースの上面に一体化したプリント基板と、
前記ベースの突起に係合して抜け止めすると共に、前記プリント基板の押しボタンスイッチ上に載置した環状ホルダと、
下面に環状マグネットを同心円上に配置し、前記環状ホルダと同一軸心上に位置決めされて載置された環状の操作ダイヤルと、
前記環状の操作ダイヤルの内側に設けた嵌合孔に挿入され、前記ベースの突起が係合し固定することにより、前記操作ダイヤルの内周縁部に係合して抜け止めする抜け止め用リングと、
からなる操作入力装置であって、
前記抜け止め用リングの内周面に突設したリブの内周側先端部に、当接可能に近接する当接片を有するセンターキーを備えたことを特徴とする操作入力装置。
【請求項３】
前記抜け止め用リングに、前記抜け止め用リングと係合する前記ベースの突起まで挿通する貫通孔を設けたことを特徴とする請求項１または２に記載の操作入力装置。
【請求項４】
前記抜け止め用リングに、複数の切欠きを設けたことを特徴とする請求項１ないし３のいずれか１項に記載の操作入力装置。
【請求項５】
前記抜け止め用リングは、透光性材料からなり、前記プリント基板に配置した光源の近傍に位置するように配置したことを特徴とする請求項１ないし４のいずれか１項に記載の操作入力装置。
【請求項６】
前記環状マグネットと対向する面に固定マグネットを設置した環状ホルダに、軸心を中心に前記固定マグネットと対称に磁性体を配置したことを特徴とする請求項１ないし５のいずれか１項に記載の操作入力装置。
【請求項７】
同一円周上に複数の押しボタンスイッチを配置し、かつ、磁界検出素子を配置したプリント基板の上方に、下面に環状マグネットを同心円状に配置した環状の操作ダイヤルを、回動可能に支持した操作入力装置であって、
前記環状マグネットと対向可能に固定マグネットを設置した環状ホルダに、軸心を中心に前記固定マグネットと対称に磁性体を設置したことを特徴とする操作入力装置。
【請求項８】
同一円周上に少なくとも一対の突起を切り起こしたベースと、
複数個の押しボタンスイッチを同一円周上に実装し、かつ、磁界検出素子を実装すると共に、前記ベースの上面に一体化したプリント基板と、
前記ベースの突起に係合して抜け止めすると共に、前記プリント基板の押しボタンスイッチ上に載置した環状ホルダと、
下面に環状マグネットを同心円上に配置し、前記環状ホルダと同一軸心上に位置決めされて載置された環状の操作ダイヤルと、
前記環状の操作ダイヤルの内側に設けた嵌合孔に挿入され、前記ベースの突起が係合し固定することにより、前記操作ダイヤルの内周縁部に係合して抜け止めする抜け止め用リングと、
からなる操作入力装置であって、
前記環状マグネットと対向可能に固定マグネットを設置した前記環状ホルダに、軸心を中心に前記固定マグネットと対称に磁性体を設置したことを特徴とする操作入力装置。
【請求項９】
請求項１ないし８のいずれか１項に記載の操作入力装置を、外部から操作できるように操作ダイヤルをハウジングから露出させて取り付けたことを特徴とする電子機器。
【発明の詳細な説明】
【技術分野】
【０００１】
本発明は、回動操作できると共に、センターキーを操作することにより、携帯電話機や携帯用音楽プレーヤに適用できる操作入力装置およびこれを用いた電子機器に関する。
【背景技術】
【０００２】
従来、３６０度回転可能な回転式の情報入力装置が提案されている。例えば特許文献１には、ワッシャを介してベース部に取り付ける回転式の情報入力装置が記載されている。
【０００３】
前記情報入力装置では、具体的には特許文献１の段落３６、４０の記載および図５と図６とに図示されているように、ホイール３３をワッシャ６１に嵌合し、このワッシャ６１を、ホールダ４５を介してベース７５に取り付けてある。
【先行技術文献】
【特許文献】
【０００４】
【特許文献１】特開２００８−２７４４３号公報
【発明の概要】
【発明が解決しようとする課題】
【０００５】
しかし、前記回転式の情報入力装置では、ホールダ４５の固定部５１をベース７５に接着剤または両面テープなどで固定しているのみであるため、落下するなどして強い衝撃力がかかると、回転式の情報入力装置が外れて分離するという問題があった。
【０００６】
本発明は、前記問題点に鑑み、落下するなどして操作入力装置に強い衝撃力がかかっても、各構成部品が分離するのを防止できる操作入力装置およびこれを用いた電子機器を提供することを課題とする。
【課題を解決するための手段】
【０００７】
本発明にかかる操作入力装置は、前記課題を解決すべく、同一円周上に複数の押しボタンスイッチを配置し、かつ、磁界検出素子を配置したプリント基板の上方に、下面に環状マグネットを同心円状に配置した環状の操作ダイヤルを、回動可能に支持した操作入力装置であって、同一円周上に少なくとも一対の突起を切り起こしたベースと、前記環状の操作ダイヤルの内側に設けた嵌合孔に嵌合することにより、内周面に突設したリブの外周側に、前記ベースの突起が係合して前記ベースに固定され、前記操作ダイヤルを抜け止めする抜け止め用リングと、前記抜け止め用リング内に嵌合固定することにより、前記リブの内周側先端部に当接可能に近接する当接片を有するセンターキーと、を備えた構成としてある。
【発明の効果】
【０００８】
本発明によれば、センターキーの当接片を、抜け止め用リングのリブと当接可能に設けた。従って、万一、操作入力装置が落下して強い衝撃力がかかっても、当接片とリブとが当接してリブの半径方向内方への移動を妨げる。これにより、抜け止め用リングとベースとの係合が外れるのを防止でき、抜け止め用リングとベースとが分離するのを防止できる。
また、センターキーを抜け止め用リングに嵌合する際、抜け止め用リングとベースとの係合が不完全であれば、リブが半径方向内方に移動して、センターキーの当接片が抜け止め用リングのリブにあたるため嵌合することができない。このように、抜け止め用リングとベースとを正確に係合した場合のみ、センターキーを抜け止め用リングに取り付けることができる。
【０００９】
本発明にかかる他の操作入力装置は、同一円周上に少なくとも一対の突起を切り起こしたベースと、複数個の押しボタンスイッチを同一円周上に実装し、かつ、磁界検出素子を実装すると共に、前記ベースの上面に一体化したプリント基板と、前記ベースの突起に係合して抜け止めすると共に、前記プリント基板の押しボタンスイッチ上に載置した環状ホルダと、下面に環状マグネットを同心円上に配置し、前記環状ホルダと同一軸心上に位置決めされて載置された環状の操作ダイヤルと、前記環状の操作ダイヤルの内側に設けた嵌合孔に挿入され、前記ベースの突起が係合し固定することにより、前記操作ダイヤルの内周縁部に係合して抜け止めする抜け止め用リングと、からなる操作入力装置であって、前記抜け止め用リングの内周面に突設したリブの内周側先端部に、当接可能に近接する当接片を有するセンターキーを備えた構成としてある。
【００１０】
本発明によれば、センターキーの当接片を、抜け止め用リングのリブと当接可能に設けた。従って、万一、操作入力装置が落下して強い衝撃力がかかっても、当接片とリブとが当接してリブの半径方向内方への移動を妨げる。これにより、抜け止め用リングとベースとの係合が外れるのを防止でき、抜け止め用リングとベースとが分離するのを防止できる。
また、抜け止め用リングとベースとの係合が不完全であれば、リブが半径方向内方に移動して、センターキーの当接片が抜け止め用リングのリブを圧接し、センターキーと抜け止めリングとの係合を阻止する。これにより、抜け止め用リングとベースとを正確に係合した場合のみ、センターキーを抜け止め用リングに取り付けることができる。
【００１１】
本発明にかかる実施形態としては、前記抜け止め用リングに、前記抜け止め用リングと係合する前記ベースの突起まで挿通する貫通孔を設けてもよい。
本実施形態によれば、貫通孔を介して、抜け止め用リングとベースの突起との係合を確認してから、センターキーを抜け止め用リングに取り付けできる。
【００１２】
本発明にかかる別の実施形態としては、抜け止め用リングに、複数の切欠きを設けてもよい。
本実施形態によれば、切欠きを設けることで、抜け止め用リングが弾性変形しやすくなり、組み立て性が向上する。
【００１３】
本発明にかかる更なる実施形態としては、抜け止め用リングは、光透過性材料からなり、前記プリント基板に配置した光源の近傍に位置するように配置してもよい。
本実施形態によれば、光源から発光した光が、操作ダイヤルの段部を通過する際に１次拡散し、抜け止め用リングにより２次拡散するので、抜け止め用リングは均等に発光できる。
【００１４】
本発明にかかる実施形態としては、前記環状マグネットと対向する面に固定マグネットを設置した環状ホルダに、軸心を中心に前記固定マグネットと対称に磁性体を配置してもよい。
本実施形態によれば、固定マグネットと磁性体とを別体として環状ホルダに設けたので、環状ホルダ上に１つの繋がった環状マグネットを設ける場合と比べ、製造コストを削減できる。
また、固定マグネットと対向する位置に磁性体を配置したので、環状マグネットと吸引する、または反発する力が軸を中心に均等に作用し、操作ダイヤルが傾くのを防止できる。
【００１５】
本発明にかかる他の操作入力装置は、同一円周上に複数の押しボタンスイッチを配置し、かつ、磁界検出素子を配置したプリント基板の上方に、下面に環状マグネットを同心円状に配置した環状の操作ダイヤルを、回動可能に支持した操作入力装置であって、前記環状マグネットと対向するように固定マグネットを設置した環状ホルダに、軸心を中心に前記固定マグネットと対称に磁性体を設置した構成としてある。
【００１６】
本発明によれば、固定マグネットと磁性体とを別体として環状ホルダに設けたので、環状ホルダ上に１つの繋がった環状マグネットを設ける場合と比べ、製造コストを削減できる。
また、固定マグネットと対向する位置に磁性体を配置したので、環状マグネットと吸引する、または反発する力が軸を中心に均等に作用し、操作ダイヤルが傾くのを防止できる。
【００１７】
本発明にかかる更に他の操作入力装置は、同一円周上に少なくとも一対の突起を切り起こしたベースと、複数個の押しボタンスイッチを同一円周上に実装し、かつ、磁界検出素子を実装すると共に、前記ベースの上面に一体化したプリント基板と、前記ベースの突起に係合して抜け止めすると共に、前記プリント基板の押しボタンスイッチ上に載置した環状ホルダと、下面に環状マグネットを同心円上に配置し、前記環状ホルダと同一軸心上に位置決めされて載置された環状の操作ダイヤルと、前記環状の操作ダイヤルの内側に設けた嵌合孔に挿入され、前記ベースの突起が係合し固定することにより、前記操作ダイヤルの内周縁部に係合して抜け止めする抜け止め用リングと、からなる操作入力装置であって、前記環状マグネットと対向するように固定マグネットを設置した前記環状ホルダに、軸心を中心に前記固定マグネットと対称に磁性体を設置した構成としてある。
【００１８】
本発明によれば、固定マグネットと磁性体とを別体として環状ホルダに設けたので、環状ホルダ上に１つの繋がった環状マグネットを設ける場合と比べ、製造コストを削減できる。
また、固定マグネットと対向する位置に磁性体を配置したので、環状マグネットと吸引する、または反発する力が軸を中心に均等に作用し、操作ダイヤルが傾くのを防止できる。
【００１９】
本発明にかかる電子機器としては、外部から操作できるように前述の操作入力装置の操作ダイヤルをハウジングから露出させて取り付けてもよい。
【図面の簡単な説明】
【００２０】
【図１】本発明に係る操作入力装置を上方から見た分解斜視図である。
【図２】図１で示した操作入力装置のベース部の拡大分解斜視図である。
【図３】本発明に係る操作入力装置を下方から見た分解斜視図である。
【図４】図３で示した操作入力装置のベース部の拡大分解斜視図である。
【図５】図１で示した操作入力装置の要部の拡大分解斜視図である。
【図６】図３で示した操作入力装置の要部の拡大分解斜視図である。
【図７】図７Ａは図１で示した操作入力装置のホルダの上面図、図７Ｂは図７Ａの正面図である。
【図８】図８Ａは本発明に係る操作入力装置の上面図、図８Ｂ、図８Ｃは図８ＡのＢーＢ線断面図である。
【図９】図９Ａは本発明に係る操作入力装置の上面図、図９Ｂ、図９Ｃは図９ＡのＢーＢ線断面図である。
【図１０】図１０Ａは本発明に係る操作入力装置の上面図、図１０Ｂ、図１０Ｃは図１０ＡのＢーＢ線断面図である。
【発明を実施するための形態】
【００２１】
本発明にかかる実施形態を、図１ないし図１０の添付図面に従って説明する。
本実施形態の操作入力装置は、図１ないし図４に示すように、フレキシブルなプリント基板２０を一体化した金属ベース１０と、下面にドーム状可動接点からなる中央押しボタンスイッチ３１ａおよび４個の押しボタンスイッチ３１ｂ〜３１ｅを貼り付けた樹脂製フィルムカバー３０と、前記ベース１０に固定される環状ホルダ４０と、下面に環状マグネット５５を固定した操作ダイヤル５０と、前記金属ベース１０と係合し、前記操作ダイヤル５０の内周縁部を抜け止めする抜け止め用リング６０と、前記抜け止め用リング６０の内周縁部と係合し、抜け止め用リング６０をより一層確実に抜け止めすると共に、押し下げ可能なセンターキー７０と、からなるものである。
【００２２】
金属ベース１０は、図２および図４に示すように、外周縁部に図示しない他部品を係合,固定する係合用爪部１１を下方側に切り曲げた平面略円形である。その中心から同一円周上に、後述する環状ホルダ４０と係合し、かつ、位置決めする一対の環状ホルダ位置決め突起１２が設けられている。同様に中心から同一円周上に位置し、抜け止め用リング６０と係合し、位置決めする一対のリング位置決め突起１３が設けられている。この環状ホルダ位置決め突起１２およびリング位置決め突起１３は、正面視略Ｔ字形状であり、上方側に切り起こしてある。そして、中心から前記２つの突起１２、１２よりも外側には、同一円周上に方形および円形の治具孔１４、１５を設けてある。
【００２３】
フレキシブルな樹脂フィルムからなるプリント基板２０は、裏面に接着剤を塗布した略円形の基板本体２０ａと、前記基板本体２０ａから延在するリード部２０ｂとから形成されてある。前記基板本体２０ａは、その中央に導電部２１ａを設けてあると共に、前記導電部２１ａを中心として同一円周上に均等のピッチで導電部２１ｂ〜２１ｅを配置してある。前記導電部２１ａ〜２１ｅは、環状固定接点部と前記環状固定接点部内に配置された一対の固定接点部とからなるものである。また、前記プリント基板２０は、前記金属ベース１０の治具孔１４、１５と対応する位置に、治具孔２４、２５をそれぞれ設けてある。更に、基板本体２０ａには同一円周上に４つのＬＥＤ２７を、十字方向に対称となるように設置すると共に、一対の前記ＬＥＤ２７の外側に同一円周上に一対のホール素子２８をそれぞれ設置してある。ホール素子２８は、上方を通過する磁束を検出し、検出信号を出力する特性を有する。
なお、前記導電部２１ａ〜２１ｅは、例えば、固定接点部が同心円上であってもよく、また、平面視略Ｃ字形の一方の固定接点部の中央に、他方の固定接点部を配置しておいてもよい。
【００２４】
樹脂製フィルムカバー３０は、図２に示すように、前記基板本体２０ａに被覆可能な平面形状を有し、図４に示すように、接着剤を塗布した裏面のうち、前記導電部２１ａ〜２１ｅと対応する位置に、扁平なドーム状反転ばねからなる押しボタンスイッチ３１ａ〜３１ｅがそれぞれ貼り付けられてある。また、前記押しボタンスイッチ３１ａ〜３１ｅは押圧時の空気抵抗を小さくすべく、前記樹脂製フィルムカバー３０の裏面に前記押しボタンスイッチ３１ａ〜３１ｅに連通する通気部３２を形成してある。更に、前記樹脂製フィルムカバー３０は、前記金属ベース１０の治具孔１４、１５と対応する位置に、治具孔３４、３５をそれぞれ設けてある。そして、前記樹脂製フィルムカバー３０は、その外周縁部近傍に前記ホール素子２８およびＬＥＤ２７に嵌合する逃げ部３６を形成すると共に、外周縁部には制御素子（図示せず）に嵌合する逃げ部３７を形成してある。
【００２５】
環状ホルダ４０は、図５および図６に示すように、ドーナッツ形状の円盤部材４１と、この円盤部材４１の内周縁部から上方に突設した環状突部４２とから構成されてある。円盤部材４１と環状突部４２との境には、対向する位置に一対の舌片４３を下方側に突設してある。前記舌片４３は図６に示すように、円盤部材４１から下方側に突出しており、円盤部材４１の裏面から鉛直下方に延びる立壁４３ａと、凹部４３ｂを有し、かつ、前記立壁４３ａの下端部から半径方向外方に延びる突起４３ｃとから構成されてある。また、円盤部材４１には、前記舌片４３の近傍に、後述する固定マグネット４８aを収容する第１凹部４４ａと、後述する磁性体４８ｂを収容する第２凹部４４ｂとが、対向するように同一円周上に設けられてある。更に、円盤部材４１の外周縁部には、前記ホール素子２８に嵌合する逃げ部４５を形成すると共に、制御素子（図示せず）に嵌合する逃げ部４６を形成してある。また、図６に示すように、円盤部材４１の下面には、前記押しボタンスイッチ３１ｂ〜３１ｅをそれぞれ押圧可能な操作用突起４７を突設してある。
【００２６】
操作ダイヤル５０は、図１に示すように、金属ベース１０に載置可能な透光性材料からなる同心円形状であり、その中心に第１摺動シート５１を介して抜け止め用リング６０を嵌合できる嵌合孔５２を設けてある。嵌合孔５２から段部５２ａが中心に向かって突設しており、この段部５２ａ上に第１摺動シート５１を載置している。操作ダイヤル５０の裏面には、図３に示すように、第２摺動シート５３が嵌合する第１環状溝部５４が円周方向に設けられ、第１環状溝部５４の外側には、Ｎ極とＳ極を交互に配置した環状マグネット５５を嵌合する第２環状溝部５６が設けられてある。第２環状溝部５６の外周に設けた一対の切欠き部５６ａと環状マグネット５５の突起５５ａとが係合して位置決めされると共に、操作ダイヤル５０の回転に従って、環状マグネット５５も回転するように構成されてある。図８に示すように、環状マグネット５５は環状ホルダ４０に固定された固定マグネット４８aおよび磁性体４８ｂと対向するように配置してある。
【００２７】
抜け止め用リング６０は、図５および図６に示すように、透光性材料からなり、金属ベース１０と係合して操作ダイヤル５０を抜け止めするものである。ただし、図５および６は説明の便宜上、部品の一部を省略している。前記抜け止め用リング６０は、環状の操作ダイヤル５０の内側に設けた嵌合孔５２内に嵌合し、金属ベース１０に設けたリング位置決め突起１３を、抜け止め用リング６０に設けた係合孔６１に係合,固定される。図７に示すように、抜け止め用リング６０は、円状の外周壁６２と、段部６３ａを有し、外周壁６２の内周縁部から下方に向かって延びる４つの突出部６３と、係合孔６１を有し、外周壁６２から半径方向内方に向かって延びる先端がＵ字形状のリブ６４とから一体に成型されている。外周壁６２の内周には、所定の間隔を開けて切欠き部６５が設けられている。係合孔６１は、リブ６４の外周側である背面６６に設けられ、図７に示すように一対の水平方向に延びる舌片６６ａにより正面視略Ｔ字形状に形成されている。また、図７（Ａ）に示すように、リブ６４の外周壁６２側に設けた一対の貫通孔６７からリブ６４の舌片６６ａを視認することができる。
【００２８】
センターキー７０は、図５および図６に示すように、人が直接、下方に押圧する円盤部７１と、円盤部７１の裏面から下方に延びる４つの係合部７２と、円盤部７１裏面の中心付近から下方に延びる突起部７３と、から構成されてある。係合部７２は、円盤部７１から連続して下方に延びる立壁７２ａと、立壁７２ａの下端部から半径方向外方に向かって突起する突設部７２ｂとからなる。突起部７３は、円筒形状の円筒部７３ａと、円筒部７３ａの外周面から半径方向外方に向かって延びる当接片７３ｂとからなる。
【００２９】
次に、前述の構成部品の組み立て工程について説明する。
まず、図示しない治具である一対の位置決めピンに、金属ベース１０の治具孔１４、１５を挿入し位置決めする。ついで、ホール素子２８、ＬＥＤ２７、および制御素子を所定の位置に実装したプリント基板２０の治具孔２４、２５を、前記治具である一対の位置決めピンに挿入する。これにより、前記金属ベース１０の環状ホルダ位置決め突起１２とリング位置決め突起１３に、前記プリント基板２０の係合孔２６を嵌合して一体化する。さらに、樹脂製フィルムカバー３０の治具孔３４、３５を前記治具である位置決めピンに挿入し、前記プリント基板２０の本体部２０ａに樹脂製フィルムカバー３０を貼着一体化する。これにより、導電部２１ａ〜２１ｅにドーム状反転ばねからなる押しボタンスイッチ３１ａ〜３１ｅをそれぞれ位置決めする。
【００３０】
前記金属ベース１０の環状ホルダ位置決め突起１２を、環状ホルダ４０の凹部４３ｂを介して突起４３ｃの上面に係合することで、環状ホルダ位置決め突起１２を舌片４３に係合して（図９参照）、ベース１０に環状ホルダ４０を位置決めする。これにより、環状ホルダ４０を金属ベース１０に固定すると共に環状ホルダ４０の操作用突起４７が押しボタンスイッチ３１ａ〜３１ｅ上に当接する。そして、固定マグネット４８aを環状ホルダ４０の第１凹部４４ａに嵌合,固定し、磁性体４８ｂを第２凹部４４ｂに嵌合,固定する。
【００３１】
次いで、図示しない治具に操作ダイヤル５０を裏返して位置決めし、その第１環状溝部５４に第２摺動シート５３を嵌合すると共に、第２環状溝部５６に環状マグネット５５を嵌合,固定し、位置決めする。
【００３２】
更に、金属ベース１０に一体化した環状ホルダ４０に、前記操作ダイヤル５０を組み付け、操作ダイヤル５０の嵌合孔５２の内周縁部に第１摺動シート５１を介して抜け止め用リング６０を嵌合する。リング位置決め突起１３と係合孔６１とを係合し（図１０参照）、抜け止め用リング６０の舌片６６ａ上に金属ベース１０のリング位置決め突起１３を係合することで、金属ベース１０に抜け止め用リング６０を取り付ける。これにより、センターキー７０以外の全ての構成部品を一体化する。このとき、抜け止め用リング６０の貫通孔６７から係合孔６１とリング位置決め突起１３との係合状態を確認できる。
【００３３】
最後に、図６に示すようにセンターキー７０の突設部７２ｂを抜け止め用リング６０の段部６３ａに係合し、抜け止め用リング６０にセンターキー７０を取り付ける。図１０（Ｂ）および図１０（Ｃ）に示すように、当接片７３ｂがリブ６４の内周側にある先端６４ａと当接可能に設けられてある。このため、抜け止め用リング６０の係合孔６１と金属ベース１０のリング位置決め突起１３との係合が不十分である場合に、リング位置決め突起１３がリブ６４を半径方向内方に押圧するとき、リブ６４は半径方向内方に移動する。これにより、センターキー７０を抜け止め用リング６０に取り付ける際に当接片７３ｂがリブ６４の先端６４ａと圧接し、センターキー７０を抜け止め用リング６０に嵌合できない。従って、金属ベース１０と抜け止め用リング６０とを正確に係合した場合にのみ、センターキー７０を抜け止め用リング６０に取り付けることができる。また、センターキー７０の当接片７３ｂが、抜け止め用リング６０のリブ６４と半径方向外方に向かって当接可能に設けられてある。従って、万一、操作入力装置が落下して強い衝撃力がかかっても、当接片７３ｂとリブ６４の先端６４ａとが当接してリブ６４が半径方向内方に移動するのを妨げる。これにより、抜け止め用リング６０とベース１０との係合が外れるのを防止でき、抜け止め用リング６０とベース１０とが分離するのを防止できる。
【００３４】
ここで、抜け止め用リング６０に貫通孔６７が形成されているので、係合孔６１にリング位置決め突起１３が確実に係合したことを確認してから、センターキー７０を抜け止め用リング６０に取り付けできる。
【００３５】
また、抜け止め用リング６０に複数の切欠き部６５を設けたので、抜け止め用リング６０が弾性変形しやすくなり、組み立て性が向上する。
【００３６】
更に、抜け止め用リング６０は透光性材料からなるため、図１０（Ｃ）に示すように、光源であるＬＥＤ２７が発光すると操作ダイヤル５０を介して、抜け止め用リング６０内を光が透過する。光が、操作ダイヤル５０の段部５２ａを通過する際に１次拡散し、抜け止め用リング６０内を透過することにより２次拡散するので、抜け止め用リング６０が均等に発光できる。なお、ＬＥＤ２７からの光を抜け止め用リング６０まで入射するために、第１摺動シート５１も透光性を有している。ただし、操作ダイヤル５０の段部５２ａ以外の表面は塗装されており、操作ダイヤル５０から光が外部に放射されることはない。つまり、操作ダイヤル５０の段部５２ａのみを光が通過するものである。
【００３７】
本実施形態では、固定マグネット４８ａと磁性体４８ｂとを別体として環状ホルダ４０に設けたので、円盤部材４１上を周回する１つの環状マグネットを設ける場合と比べ、製造コストを削減できる。
【００３８】
固定マグネット４８ａと対向する位置に磁性体４８ｂを配置したので、環状マグネット５５と吸引する、または反発する力が軸を中心に均等に作用し、操作ダイヤル５０が傾くのを防止できる。
【００３９】
そして、図９に示すように磁性体４８ｂは、環状マグネット５５と対向する。このとき、磁性体４８ｂと環状マグネット５５とは常に吸引し合う。このため、操作ダイヤル５０を回動する際の抵抗となり、過回転を防止できるので、操作性が向上する。
【００４０】
次に、前述の構成からなる操作入力装置を携帯電話機（図示せず）に適用した場合の操作方法について説明する。
操作ダイヤル５０を抜け止め用リング６０の軸心を中心として回動させると、操作ダイヤル５０は第２摺動シート５３を介して環状ホルダ４０上を回動する。このため、操作ダイヤル５０と一体な環状マグネット５５が回動し、一対のホール素子２８が磁界の変化をそれぞれ検知し、これに基づいて回動方向および回動量を検出する。
そして、その検出結果が図示しない制御回路を介してモニターの画面表示にスクロールバーの移動として反映される。ついで、所望の位置にスクロールバーが到達した場合に、センターキー７０を押すことにより、中央押しボタンスイッチ３１ａの反転バネが反転し、対応する導電部２１ａを導電させて選択指令を出力する。
また、操作ダイヤル５０の周辺部を押し下げ、環状ホルダ４０の操作用突起４７で押しボタンスイッチ３１ｂ〜３１ｅの反転バネを適宜反転させることにより、対応する導電部２１ｂ〜２１ｅを通電させてもよい。
【符号の説明】
【００４１】
１０  金属ベース
１３  リング位置決め突起
２０  プリント基板
２７  ＬＥＤ
２８  ホール素子
３１ａ〜３１ｅ  押しボタンスイッチ
４０  環状ホルダ
４８ａ  固定マグネット
４８ｂ  磁性体
５０  操作ダイヤル
５５  環状マグネット
６０  抜け止め用リング
６４  リブ
６５  切欠き部
６７  貫通孔
７０  センターキー
７３ｂ  当接片
【図１】
2010161020.tif 000003
【図２】
2010161020.tif 000004
【図３】
2010161020.tif 000005
【図４】
2010161020.tif 000006
【図５】
2010161020.tif 000007
【図６】
2010161020.tif 000008
【図７】
2010161020.tif 000009
【図８】
2010161020.tif 000010
【図９】
2010161020.tif 000011
【図１０】
2010161020.tif 000012